(57)【要約】【課題】オペレーターが一人で容易に操作可能なドラム缶ポータを提供する。【解決手段】ドラム缶ポータ１７４は、平行な一対の水平フレーム１７５と、両水平フレーム１７５の後部よりに鉛直に立設され、両水平フレーム１７５間を連結したコ字形の縦フレーム１７６と、両水平フレーム１７５上に跨設されたドラム缶設置用座板１７７と、縦フレーム１７６の背面位置に突設された一対の操作用ハンドル１７３と、縦フレーム１７６の前部に配置されたドラム缶グリッパ１７８と、両水平フレーム１７５の先端部に回転可能に軸支され、前輪となる固定輪１７２と、両水平フレーム１７５の後端下部に操舵輪となるキャスター１７１とを備えている。ドラム缶１５の軸心とオペレーターの軸心との間に操作用ハンドル１７３の軸心及びキャスター１７１の軸心が設けられるために、方向転換用に加えられる力が効率的にキャスター１７１に伝達され、容易にドラム缶ポータ１７４の方向転換が可能となる。【選択図】図２
2007203812.tif 000002
【特許請求の範囲】
【請求項１】
ドラム缶を積載し、人力にて運搬するドラム缶ポータであって、ドラム缶の軸心位置とオペレーターの軸心位置との間に操作用ハンドルの軸心及び方向転換用操舵輪の軸心を設けたことを特徴とするドラム缶ポータ。
【請求項２】
前記方向転換用操舵輪がキャスターであることを特徴とする請求項１に記載のドラム缶ポータ。
【発明の詳細な説明】
【技術分野】
【０００１】
本発明は、オペレーターが一人で操作可能なドラム缶ポータに関する。
【背景技術】
【０００２】
原子力発電所で発生する低レベル放射性廃棄物のうち雑固体廃棄物は、ドラム缶に詰められ、モルタル等の充填材にて充填されて所定の埋設場に埋設処分されるが、埋設場の広さには限りがあるので、雑固体廃棄物を減容し、埋設されるドラム缶の数を少なくすることが好ましい。そこで、雑固体廃棄物の減容方法として、例えば、高周波誘導加熱方式による溶融減容設備が導入されている。
【０００３】
具体的には、溶融減容設備は、雑固体廃棄物を溶融炉内にセットしたキャニスタ内で溶融して減容し、固化させた後、キャニスタごとドラム缶に詰め、モルタル等の固型化材料を充填して廃棄体とするものである。
【０００４】
溶融減容設備内において、雑固体廃棄物はドラム缶に詰められ、主にドラム缶ポータに積載され、人力により運搬される。
【発明の開示】
【発明が解決しようとする課題】
【０００５】
しかしながら、図３に示すとおり、従来のドラム缶ポータ１７０は、キャスター１７１を進行方向に向かって前方に、固定輪１７２を後方に有する前輪操舵方式であり、オペレーターが後方から一人で押しながら運搬すると、ドラム缶ポータの方向を制御する操作用ハンドル１７３（力の作用点）の軸心と方向転換用のキャスター１７１（方向転換の支点）の軸心とが離れているために方向転換が難しく、直進性が悪いという問題点があった。
【０００６】
このため、ドラム缶の運搬は二人一組とし、前方にいる人が方向転換を担当し、後方の人は推力を担当しているが、二人一組で運搬作業を行うのは非効率であるという問題点があった。
【０００７】
そこで本発明は、上記問題点を解決するものであり、オペレーターが一人で容易に操作可能なドラム缶ポータを提供するものである。
【課題を解決するための手段】
【０００８】
上記問題を解決する本発明のドラム缶ポータは、ドラム缶の軸心位置とオペレーターの軸心位置との間に操作用ハンドルの軸心及び方向転換用操舵輪の軸心を設けたことを特徴とする（第１の発明）。
【０００９】
第２の発明は、第１の発明において、前記方向転換用操舵輪がキャスターであることを特徴とする。
【発明の効果】
【００１０】
本発明によれば、ドラム缶ポータを一人で容易に操作可能となる。
【発明を実施するための最良の形態】
【００１１】
以下、本発明の実施形態について図面を用いて詳細に説明する。図１は本発明の実施形態における雑固体廃棄物処理設備の全体構成を示す図である。この雑固体廃棄物溶融設備は、雑固体廃棄物を仕分けする前処理設備１と、仕分けされた雑固体廃棄物のうち溶融可能な廃棄物を溶融するための溶融設備２と、溶融終了後の溶融廃棄物を収納したドラム缶に、モルタルを充填して充填固化体３７とするモルタル固化設備３と、充填固化体を一時保管する保管設備４からなる。
【００１２】
前処理設備１にて、原子力発電施設より発生する雑固体廃棄物５は、仕分け台９上に一度出されて手作業により処理対象外廃棄物６、直接充填物７、溶融対象物８の３区分に分別される。
【００１３】
そして、例えば、直接充填物７が詰められたドラム缶１５及びモルタルを充填されたドラム缶３８はドラム缶ポータに積載され、オペレーターにより所定の施設まで運搬される。
【００１４】
図２は本発明の実施形態におけるドラム缶ポータを示す図である。なお、図３と同一箇所には同一符号を付し、重複説明を省略する。図２に示すとおり、ドラム缶ポータ１７４は、平行な一対の水平フレーム１７５と、両水平フレーム１７５の後部よりに鉛直に立設され、両水平フレーム１７５間を連結したコ字形の縦フレーム１７６と、両水平フレーム１７５上に跨設されたドラム缶設置用座板１７７と、縦フレーム１７６の背面位置に突設された一対の操作用ハンドル１７３と、縦フレーム１７６の前部に配置されたドラム缶グリッパ１７８と、両水平フレーム１７５の先端部に回転可能に軸支され、前輪となる固定輪１７２と、両水平フレーム１７５の後端下部に操舵輪となるキャスター１７１とを備えている。
【００１５】
ドラム缶１５の軸心とオペレーターの軸心との間に操作用ハンドル１７３の軸心及びキャスター１７１の軸心が設けられるために、方向転換用に加えられる力が効率的にキャスター１７１に伝達され、容易にドラム缶ポータ１７４の方向転換が可能となる。
【００１６】
ドラム缶ポータ１７４のドラム缶設置用座板１７７上にドラム缶１５を積載し、ドラム缶グリッパ１７８に設けたクランプ機構により固定して、オペレーターが操作用ハンドル１７３を押すことによりドラム缶ポータ１７４は直進する。
【００１７】
また、オペレーターが操作用ハンドル１７３を左右に回転させると固定輪１７２の接地端を基点にキャスター１７１が回転するためにドラム缶ポータ１７４をその回転方向に容易に方向転換させることが可能となり、一人のオペレーターによる運搬が可能となる。
【００１８】
なお、以上の実施形態では、キャスター１７１を自由回転可能としてあるが、左右いずれか一方のキャスター１７１に足踏方式のストッパを設けることで、運搬途中での制動も可能となる。
【図面の簡単な説明】
【００１９】
【図１】本発明の実施形態における雑固体廃棄物処理設備の全体構成を示す図である。
【図２】本発明の実施形態におけるドラム缶ポータを示す図である。
【図３】従来のドラム缶ポータを示す図である。
【符号の説明】
【００２０】
１  前処理設備                          ２  溶融設備
３  モルタル固化設備                    ４  保管設備
５  雑固体廃棄物                        ６  処理対象外廃棄物
７  直接充填物                          ８  溶融対象物
９  仕分け台                            １１  投入容器
１２  キャニスタ                        １３  収納手段
１４  搬出手段                          １５  ドラム缶
３７  充填固化体                        ３８  ドラム缶
１７０  （従来の）ドラム缶ポータ        １７１  キャスター
１７２  固定輪                          １７３  操作ハンドル
１７４  （本発明による）ドラム缶ポータ  １７５  水平フレーム
１７６  縦フレーム                      １７７  ドラム缶設置用座板
１７８  ドラム缶グリッパ
【図１】
2007203812.tif 000003
【図２】
2007203812.tif 000004
【図３】
2007203812.tif 000005